【手続補正書】
【提出日】平成19年1月23日(2007.1.23)
【手続補正１】
【補正対象書類名】特許請求の範囲
【補正対象項目名】全文
【補正方法】変更
【補正の内容】
【特許請求の範囲】
【請求項１】
１以上の紙ページにユーザにより記載された情報に基づいて及び情報伝達イベント中に１以上の情報捕捉装置によって捕捉された情報に基づいて書類を生成する方法であって：
１以上の紙ページにユーザにより記載された情報を表す第１情報にアクセスするステップであって、前記第１情報は前記ユーザにより記載されたメモを表す情報を含むところのステップ；
前記１以上の情報捕捉装置により捕捉された情報から、情報の１以上の部分を判別するステップ；
前記情報の１以上の部分における情報の各部分について視覚的表現を生成するステップ；及び
書類を生成するステップ；
より成り、前記書類の内容は、前記ユーザによって記載されたメモの視覚的表現と、前記情報の１以上の部分について生成された視覚的表現とを有する
ことを特徴とする方法。
【請求項２】
情報の１以上の部分を判別するステップが：
前記第１情報から１以上のマークを識別するステップであって、各マークは、前記１以上の情報捕捉装置によって捕捉された情報からの情報の部分が、前記ユーザにより記載されたメモに統合されることを示すところのステップ；
前記１以上のマークの各マークに関連付けられた時間情報を判別するステップ；及び
前記マークに関連付けられた時間情報に基づいて及び前記１以上の情報捕捉装置により捕捉された情報に関連付けられた時間情報に基づいて、前記１以上の情報捕捉装置により捕捉された情報から、前記１以上のマークの各マークに関する情報の部分を識別するステップ；
より成ることを特徴とする請求項１記載の方法。
【請求項３】
ユーザにより紙ページに記載された情報に基づいて及び情報捕捉装置により捕捉された情報に基づいて、書類を生成する方法であって：
ユーザにより紙ページに記載された情報を表す第１情報にアクセスするステップであって、前記第１情報は前記ユーザにより前記紙ページに記載されたメモを表す情報を包含するところのステップ；
前記情報捕捉装置により捕捉された情報から情報の部分を判別するステップ；
情報の前記部分について視覚的表現を生成するステップ；及び
書類を生成するために、ユーザにより記載されたメモの視覚的表現と、１以上のページにおける情報の部分について生成された視覚的表現とを印刷するステップ；
より成ることを特徴とする方法。
【請求項４】
１以上の紙ページにユーザにより記載された情報に基づいて及び情報伝達イベント中に１以上の情報捕捉装置によって捕捉された情報に基づいて書類を生成するシステムであって：
１以上の紙ページにユーザにより記載された情報を表す第１情報を受信するよう構成された通信モジュールであって、前記第１情報は前記ユーザにより記載されたメモを表す情報を含むところの通信モジュール；
プロセッサ；及び
前記プロセッサに接続され、前記プロセッサにより実行される複数のコードモジュールを格納するメモリ；
より成り、前記複数のコードモジュールは：
前記１以上の情報捕捉装置により捕捉された情報から、情報の１以上の部分を判別するコードモジュール；
前記情報の１以上の部分における情報の各部分について視覚的表現を生成するコードモジュール；及び
書類を生成するコードモジュール；
より成り、前記書類の内容は、前記ユーザによって記載されたメモの視覚的表現と、前記情報の１以上の部分について生成された視覚的表現とを有する
ことを特徴とするシステム。
【請求項５】
情報の１以上の部分を判別するコードモジュールが：
前記第１情報から１以上のマークを識別するコードモジュールであって、各マークは、前記１以上の情報捕捉装置によって捕捉された情報からの情報の部分が、前記ユーザにより記載されたメモに統合されることを示すところのコードモジュール；
前記１以上のマークの各マークに関連付けられた時間情報を判別するコードモジュール；及び
前記マークに関連付けられた時間情報に基づいて及び前記１以上の情報捕捉装置により捕捉された情報に関連付けられた時間情報に基づいて、前記１以上の情報捕捉装置により捕捉された情報から、前記１以上のマークの各マークに関する情報の部分を識別するコードモジュール；
より成ることを特徴とする請求項４記載のシステム。
【請求項６】
前記第１情報から１以上のマークを識別するコードモジュールが：
メモを書くためにユーザに使用される１以上の紙ページにおける１以上の特別領域の場所を識別するテンプレート情報にアクセスするコードモジュール；及び
前記第１情報から、前記テンプレート情報により識別される１以上の特別領域に位置付けられた１以上のマークを識別するコードモジュール；
より成ることを特徴とする請求項５記載のシステム。
【請求項７】
前記１以上のマークの各マークに関する情報の部分を識別するコードモジュールが：
マークに関する１以上の情報捕捉装置から情報捕捉装置を識別するコードモジュール；及び
前記マークについて識別された情報捕捉装置により捕捉された情報の部分を選択するコードモジュール；
より成ることを特徴とする請求項５記載のシステム。
【請求項８】
前記マークに関する情報捕捉装置を識別するコードモジュールが：
前記マークに対応する情報の種別を判別するコードモジュール；
前記１以上の情報捕捉装置から、前記マークに対応する種別の情報を記録するよう構成された一群の情報捕捉装置を識別するコードモジュール；及び
前記マークに関する一群の情報捕捉装置から情報捕捉装置を選択するコードモジュール；
より成ることを特徴とする請求項７記載のシステム。
【請求項９】
書類を生成するコードモジュールが：
ユーザにより記載されたメモの視覚的表現と、情報の１以上の部分について生成された視覚的表現とを有する電子的表現を生成するコードモジュール；及び
前記書類を生成するために、前記電子的表現を１以上の紙ページに印刷するコードモジュール；
より成ることを特徴とする請求項４記載のシステム。
【請求項１０】
前記情報の１以上の部分における情報の各部分について視覚的表現を生成するコードモジュールが：
情報の各部分についての情報の種別を判別するコードモジュール；及び
情報の部分について判別された情報の種別に基づいて、情報の部分に関する視覚的表現を生成するコードモジュール；
より成ることを特徴とする請求項４記載のシステム。
【請求項１１】
情報の１以上の部分が、映像情報より成る第１部分を有し、視覚的表現を生成するコードモジュールが、前記第１部分の前記映像情報からキーフレームを選択するコードモジュールより成ることを特徴とする請求項４記載のシステム。
【請求項１２】
ユーザにより紙ページに記載された情報に基づいて及び情報捕捉装置により捕捉された情報に基づいて、書類を生成するシステムであって：
ユーザにより紙ページに記載された情報を表す第１情報を受信するよう構成された通信モジュールであって、前記第１情報は前記ユーザにより前記紙ページに記載されたメモを表す情報を包含するところの通信モジュール；
プロセッサ；及び
前記プロセッサに接続され、前記プロセッサにより実行される複数のコードモジュールを格納するよう構成されたメモリ；
より成り、前記複数のコードモジュールが：
前記情報捕捉装置により捕捉された情報から情報の部分を判別するコードモジュール；
情報の前記部分について視覚的表現を生成するコードモジュール；及び
書類を生成するために、ユーザにより記載されたメモの視覚的表現と、１以上のページにおける情報の部分について生成された視覚的表現とを印刷するコードモジュール；
より成ることを特徴とするシステム。
【請求項１３】
コンピュータ読み取り可能な媒体に格納され、ユーザにより紙ページに記載された情報に基づいて及び情報捕捉装置により捕捉された情報に基づいて、書類を生成するためのコンピュータプログラムであって：
ユーザにより紙ページに記載された情報を表す第１情報にアクセスするステップであって、前記第１情報は前記ユーザにより前記紙ページに記載されたメモを表す情報を包含するところのステップ；
前記情報捕捉装置により捕捉された情報から情報の部分を判別するステップ；
情報の前記部分について視覚的表現を生成するステップ；及び
書類を生成するために、ユーザにより記載されたメモの視覚的表現と、１以上のページにおける情報の部分について生成された視覚的表現とを印刷するステップ；
を実行させる命令より成ることを特徴とするコンピュータプログラム。